(57)【要約】      （修正有）【課題】感染性廃棄物を収納された廃棄物収納容器を廃棄する際に、利用者が感染性廃棄物、又は感染性廃棄物が接触した可能性のあるものに触れることなく収納容器本体のみを廃棄できる廃棄物収納容器を提供する。【解決手段】蓋カバー１００は繰り返して利用することができ、ダンボールなどの紙材で形成され、感染性廃棄物が収納された容器本体のみを廃棄することができる。蓋カバー１００は、カバー本体部１１０、アーム挿入部１２０、前方被覆部１３０、後方突出部１４０、連結摺動体１５０、および回動板材１６０を備えている。回動板材１６０の一端側に利用者が把持して持ち上げるための把持部１６１を備え、貫通孔が回動板材を嵌合し、回動板材が貫通孔に嵌合された状態で回動板材を回動可能に支持する回動支持部１６２が連結し、連結体の近傍まで延設された回動板材の他端側の回動辺が、回動支持部で回動することで第一蓋部から第二蓋部を引き離す。【選択図】図１
0003231054.tif 000002
【実用新案登録請求の範囲】
【請求項１】
感染性廃棄物を収納する収納容器を内側に設置するフレームの上部に設けられるアーム部が、回動動作によって開閉する廃棄物収納容器における前記アーム部に取り付けられ、前記収納容器の蓋部の上面に設けられた連結体を介して着脱可能に天井面の下面が連結される蓋カバーにおいて、
利用者が把持して持ち上げるための把持部を一端側に有する回動板材と、
前記回動板材を嵌合するための貫通孔と、
前記回動板材が前記貫通孔に嵌合された状態で連結されて、前記回動板材を回動可能に支持する回動支持部と、
前記連結体の近傍まで延設された前記回動板材の他端側が、前記回動支持部で回動することで前記蓋部を引き離して前記連結体の連結を解除する回動辺と、
を備えることを特徴とする蓋カバー。
【請求項２】
前記貫通孔は、
前記天井面の前側から垂下する前壁面に設けられること、
を特徴とする請求項１記載の蓋カバー。
【請求項３】
前記天井面の前側から垂下する前壁面が、
前記蓋部が閉じられたときに形成される前記収納容器と前記蓋部との間に形成される隙間を覆う高さで形成されること、
を特徴とする請求項１記載の蓋カバー。
【請求項４】
前記天井面の左右両側から垂下し、前記前壁面と同じ高さで形成される側壁面、
を備えることを特徴とする請求項３記載の蓋カバー。
【請求項５】
前記天井面の後側から垂下する後壁面が、
回動リンクよりも後方に接するように設けられること、
を特徴とする請求項１記載の蓋カバー。
【請求項６】
前記回動支持部は、
前記回動板材の重心位置に設けられること、
を特徴とする請求項１記載の蓋カバー。
【請求項７】
感染性廃棄物を収納する廃棄物収納容器において、
前記感染性廃棄物が収納される収納容器本体と、
前記収納容器本体を内側に設置するフレームの上部に設けられ、回動動作によって前記収納容器本体の蓋部を開閉するアーム部と、
前記アーム部に取り付けられ、前記収納容器本体の前記蓋部の上面に設けられた連結体を介して着脱可能に天井面の下面が連結され、利用者が把持して持ち上げるための把持部を一端側に有する回動板材と前記回動板材を嵌合するための貫通孔と、前記回動板材が前記貫通孔に嵌合された状態で連結されて、前記回動板材を回動可能に支持する回動支持部と、前記連結体の近傍まで延設された前記回動板材の他端側が、前記回動支持部で回動することで前記蓋部を引き離して前記連結体の連結を解除する回動辺とを有する蓋カバーと、
を備えることを特徴とする廃棄物収納容器。
【考案の詳細な説明】
【技術分野】
【０００１】
本考案は、蓋カバー、および廃棄物収納容器に関し、特に感染性廃棄物を収納する収納容器を内側に設置するフレームの上部に設けられるアーム部が、回動動作によって開閉する廃棄物収納容器における前記アーム部に取り付けられ、前記収納容器の蓋部の上面に設けられた連結体を介して着脱可能に天井面の下面が連結される蓋カバー、および廃棄物収納容器に関する。
【背景技術】
【０００２】
従来から、医療行為に関係して排出される廃棄物である医療廃棄物、特に人が感染し、もしくは感染するおそれのある病原体が含まれ、もしくは付着し、又はこれらのおそれのあるものである感染性廃棄物は、焼却、溶融、高圧蒸気滅菌、又はマイクロ波滅菌などの廃棄物を無害化するための中間処理が行われた後に、最終処分として埋め立て処分がなされる。
【０００３】
一般に、これらの感染性廃棄物は、たとえばプラスチックなどの合成樹脂によって形成された蓋付きの廃棄物収納容器に収納されて厳重に管理され、感染性廃棄物が収納された廃棄物収納容器ごと焼却処分されている。特に、新型コロナウイルスが世界的な問題となっている今日では、感染性廃棄物の増加に伴い、安全な廃棄物収納容器が必要となっている。
【０００４】
また、感染性廃棄物が収納される廃棄物収納容器は、蓋を開け閉めしやすいように、また手で蓋に触れることなく蓋を開け閉めできるように、容器を所定のペダル付きのフレームに取り付けて使用される。
【０００５】
廃棄物収納容器が収納されるフレームは、上部に廃棄物収納容器の蓋が装着されるアームと、アームに連結されるペダルと、を備えており、ペダルを踏むことで、蓋が装着されたアームが上方に回動する構造となっている。これにより、ペダルを踏むことで蓋が開き、ペダルを離すことで蓋が閉じるので、感染性廃棄物を容易かつ安全に廃棄物収納容器に収納することができる。
【０００６】
前述のように、感染性廃棄物が収納された廃棄物収納容器は容器ごと焼却処分されるため、常に新しい廃棄物収納容器を一定量保管しておく必要がある。ところが、合成樹脂によって形成された廃棄物収納容器は、立体的に形成されているため、保管に多くの空間を必要とする問題があった。
【０００７】
また、合成樹脂によって形成された廃棄物収納容器の蓋の開け閉めの際に、合成樹脂製の蓋と容器本体とがぶつかることで発する音により、病院内の患者に不快感を与える原因となっていた。
【０００８】
そこで、主に医療用の感染性廃棄物を収納する容器において、ペダル付きのフレームに装着することができ、低コストで、収納スペースを取らず、静かに蓋の開閉が可能な廃棄物収納容器が考案されている（たとえば、特許文献１参照）。
【０００９】
図７は、特許文献１で開示された廃棄物収納容器がフレームに装着された状態を示す斜視図である。
図７に示すように、廃棄物収納容器１０はフレーム２０に固定される廃棄物収納容器である。
【００１０】
フレーム２０は、廃棄物収納容器１０を装着するためのものであって、廃棄物収納容器１０を保持する空間を有し、フレーム２０の下部にペダル２１が設けられている。また、二本の平行なアーム２２が、二本のアーム２２に垂直な回転軸回りに回転可能にフレーム２０の上部に設けられている。ペダル２１とアーム２２とは連結リンク２３により連動しており、ペダル２１を踏むことでアーム２２が上方に回動する。
【００１１】
廃棄物収納容器１０は、箱本体部１１Ａと第一蓋部１１Ｂとを有する容器本体１１と第二蓋部１２とを備えている。
廃棄物収納容器１０は、たとえば段ボールなどの紙体により形成されるものであって、上部が開口された開口部を有する直方体状の箱本体部１１Ａと、箱本体部１１Ａが有する開口部を塞ぐように形成された長方形状の第一蓋部１１Ｂとを備えている。
【００１２】
箱本体部１１Ａはフレーム２０が廃棄物収納容器１０を保持する空間に収納可能な形状で形成されている。箱本体部１１Ａが有する開口部の後側縁部と第一蓋部１１Ｂの後側縁部とは、回転可能に連結固定されている。このため、箱本体部１１Ａは前方から第一蓋部１１Ｂを回動させて、箱本体部１１Ａが有する開口部を開口させることができる。
また、第一蓋部１１Ｂの上面側前方中央付近には、たとえば面ファスナーの被係合部である被係合体１１Ｂ１が設けられている。
【００１３】
第二蓋部１２は、第一蓋部１１Ｂよりもやや大きく形成された長方形状の板体であり、下面左右両側が内側にコの字状に折り曲げられることで、アーム２２が各々に挿入される前後に延びた隙間である２つのアーム挿入部１２Ａを備えている。
【００１４】
第二蓋部１２の下面前方中央付近には、第一蓋部１１Ｂと第二蓋部１２とを連結するための連結体１２Ｂが設けられる。連結体１２Ｂは、たとえば板状のダンボールや帯状に形成された樹脂製の帯状体を折り曲げて形成されたものであって、連結体１２Ｂの両端部は、長方形状に折り曲げられた２つの糊代部によって第二蓋部１２の下面に貼り付けられている。
【００１５】
２つの糊代部からは、それぞれ垂下するように長方形状の脚部が設けられており、２つの脚部の下端を連結するように、長方形状の底部が第二蓋部１２と平行になるように形成されている。
【００１６】
また、底部の下面には、たとえば面ファスナーの係合部である係合体１２Ｂ１が貼り付けられており、第一蓋部１１Ｂに設けられた被係合体１１Ｂ１と第二蓋部１２に設けられた連結体１２Ｂが有する係合体１２Ｂ１とが係合する。
【００１７】
上記の構成により、第二蓋部１２のアーム挿入部１２Ａの隙間にアーム２２を挿入して固定することで、ペダル２１を踏めば第二蓋部１２が上方に回動し、連結体１２Ｂを介して第二蓋部１２に連結された第一蓋部１１Ｂは上方に回動して開く。
【００１８】
このとき、第一蓋部１１Ｂの回転軸と、アーム２２の回転軸はズレが生じているため、第一蓋部１１Ｂと第二蓋部１２とはズレながら動くことになる。ところが、第二蓋部１２に設けられた連結体１２Ｂが有する２つの脚部の両端が回動するので、第一蓋部１１Ｂと第二蓋部１２との動きのズレに応じて脚部が傾斜する。これにより、第一蓋部１１Ｂと第二蓋部１２との回動動作をスムーズに行うことができる。
【００１９】
また、容器本体１１は、段ボールである紙体で形成することで、在庫時には折りたたんで収納することができる。これにより、収納スペースを抑制することができる。さらに、従来の合成樹脂によって形成された廃棄物収納容器と比較して、ダンボールは柔らかいため、箱本体部１１Ａと第一蓋部１１Ｂとがぶつかっても大きな音がしないので、静かに廃棄物収納容器１０を開閉することができる。
【００２０】
第一蓋部１１Ｂを回動させて、箱本体部１１Ａが有する開口部を開口させたら、開口部から箱本体部１１Ａの内部に感染性廃棄物を入れる。感染性廃棄物が箱本体部１１Ａに取り込まれた後に、ペダル２１を開放することで第一蓋部１１Ｂおよび第二蓋部１２は閉じる。
【００２１】
感染性廃棄物が収納された廃棄物収納容器１０を廃棄する際は、第一蓋部１１Ｂに設けられた被係合体１１Ｂ１と第二蓋部１２に設けられた連結体１２Ｂが有する係合体１２Ｂ１との係合を解く。
【００２２】
これにより、第一蓋部１１Ｂと第二蓋部１２との連結が解除されるので、廃棄物収納容器１０をフレーム２０から取り外し、取り外した廃棄物収納容器１０の箱本体部１１Ａと第一蓋部１１Ｂとを結合して閉口したのちに廃棄物収納容器１０ごと廃棄する。
【先行技術文献】
【特許文献】
【００２３】
【特許文献１】実用新案登録第３１７３６２１号公報
【考案の概要】
【考案が解決しようとする課題】
【００２４】
上記のように、特許文献１で開示された廃棄物収納容器１０では、廃棄物収納容器に感染性廃棄物を収納し、廃棄物収納容器１０を回収する際には、第一蓋から第二蓋を取り外す必要がある。ところが、第一蓋部１１Ｂから第二蓋部１２を取り外す際に、利用者が感染性廃棄物に触れてしまう可能性があるという問題があった。
【００２５】
具体的には、第一蓋部１１Ｂに設けられた被係合体１１Ｂ１と第二蓋部１２に設けられた連結体１２Ｂが有する係合体１２Ｂ１との係合を解くことで、第一蓋部１１Ｂから第二蓋部１２を取り外す必要がある。
【００２６】
被係合体１１Ｂ１と係合体１２Ｂ１との係合を解くには、一方の手で被係合体１１Ｂ１が設けられた第一蓋部１１Ｂを固定し、他方の手で係合体１２Ｂ１が設けられた第二蓋部１２を引き離す。
【００２７】
この感染性廃棄物が収納される容器本体１１を構成する第一蓋部１１Ｂは、感染性廃棄物が接触している可能性が非常に高い。たとえば第一蓋部１１Ｂの回動による開口部の開口が十分でないときに、感染性廃棄物を箱本体部１１Ａに入れようとすると、感染性廃棄物が第一蓋部１１Ｂに接触してしまう。
【００２８】
他にも、第一蓋部１１Ｂを回動させて開口部を十分に開口させたにも関わらず、感染性廃棄物を容器本体１１に投げ入れた場合には、感染性廃棄物が直接容器本体１１に入らず、第一蓋部１１Ｂに接触したのちに容器本体１１に入る場合もある。
【００２９】
このように、第一蓋部１１Ｂは、感染性廃棄物が接触する可能性が非常に高い。このため、第一蓋部１１Ｂから第二蓋部１２を取り外す際に、第一蓋部１１Ｂに触れる行為は、感染性廃棄物が接触した可能性のある第一蓋部１１Ｂに触れる行為である。
【００３０】
この感染性廃棄物が接触した可能性のある第一蓋部１１Ｂに触れた手を消毒等の処理をしないまま他のものに触れてしまうと、感染が拡大してしまうおそれがあり、非常に危険である。
【００３１】
そこで、容易に第一蓋部１１Ｂから第二蓋部１２を取り外すことができるように、被係合体１１Ｂ１と係合体１２Ｂ１との係合による係合力を弱めることが考えられる。例えば、被係合体１１Ｂ１と係合体１２Ｂ１との係合領域を小さくする。
【００３２】
第一蓋部１１Ｂから第二蓋部１２を取り外す際には、第二蓋部１２のみを掴んで持ち上げ、第一蓋部１１Ｂを振り落とす。被係合体１１Ｂ１と係合体１２Ｂ１との係合力は弱いため、容易に第一蓋部１１Ｂから第二蓋部１２を取り外すことができる。
【００３３】
しかし、このように被係合体１１Ｂ１と係合体１２Ｂ１との係合力を弱めてしまうと、第一蓋部１１Ｂを回動させて、箱本体部１１Ａが有する開口部を開口させる際に、第一蓋部１１Ｂと第二蓋部１２との連結が解除されてしまう可能性がある。
【００３４】
この場合、第二蓋部１２のみが回動してしまい、第一蓋部１１Ｂは箱本体部１１Ａが有する開口部を開口させたままの状態になってしまう。つまり感染性廃棄物を収納することができない。
【００３５】
このような場合、第二蓋部１２との連結が解除された第一蓋部１１Ｂを手で掴んで回動させ、箱本体部１１Ａが有する開口部を開口させることで、感染性廃棄物を容器本体１１に入れることができるが、第一蓋部１１Ｂは感染性廃棄物が接触した可能性があるため、触れることは非常に危険である。
【００３６】
本考案はこのような点に鑑みてなされたものであり、感染性廃棄物が収納された廃棄物収納容器を廃棄する際に、利用者が感染性廃棄物、又は感染性廃棄物が接触した可能性のあるものに触れることなく収納容器本体のみを廃棄できる廃棄物収納容器を提供することを目的とする。
【課題を解決するための手段】
【００３７】
本考案では上記問題を解決するために、感染性廃棄物を収納する収納容器を内側に設置するフレームの上部に設けられるアーム部が、回動動作によって開閉する廃棄物収納容器における前記アーム部に取り付けられ、前記収納容器の蓋部の上面に設けられた連結体を介して着脱可能に天井面の下面が連結される蓋カバーにおいて、一端側に利用者が把持して持ち上げるための把持部を備えた回動板材と、前記回動板材を嵌合するための貫通孔と、前記回動板材が前記貫通孔に嵌合された状態で連結し、前記回動板材を回動可能に支持する回動支持部と、前記連結体の近傍まで延設された前記回動板材の他端側が、前記回動支持部で回動することで第一蓋部から前記第二蓋部を引き離す回動辺とを備えることを特徴とする蓋カバーが提供される。
【００３８】
これにより、回動板材の一端側に利用者が把持して持ち上げるための把持部を備え、貫通孔が回動板材を嵌合し、回動板材が貫通孔に嵌合された状態で回動板材を回動可能に支持する回動支持部が連結し、連結体の近傍まで延設された回動板材の他端側の回動辺が、回動支持部で回動することで第一蓋部から第二蓋部を引き離す。
【００３９】
また、本発明では、感染性廃棄物を収納する廃棄物収納容器において、前記感染性廃棄物が収納される収納容器本体と、前記収納容器本体を内側に設置するフレームの上部に設けられ、回動動作によって前記収納容器本体蓋部を開閉するアーム部と、前記アーム部に取り付けられ、前記収納容器の蓋部の上面に設けられた連結体を介して着脱可能に天井面の下面が連結され、一端側に利用者が把持して持ち上げるための把持部を備えた回動板材と、前記回動板材を嵌合するための貫通孔と、前記回動板材が前記貫通孔に嵌合された状態で連結し、前記回動板材を回動可能に支持する回動支持部と、前記連結体の近傍まで延設された前記回動板材の他端側が、前記回動支持部で回動することで第一蓋部から前記第二蓋部を引き離す回動辺と、を有する蓋カバーとを備えることを特徴とする廃棄物収納容器が提供される。
これにより、感染性廃棄物が収納容器本体に収納され、収納容器本体を内側に設置するフレームの上部に設けられたアーム部が回動動作によって収納容器本体蓋部を開閉し、回動板材の一端側に利用者が把持して持ち上げるための把持部を備え、貫通孔が回動板材を嵌合し、回動板材が貫通孔に嵌合された状態で回動板材を回動可能に支持する回動支持部が連結し、連結体の近傍まで延設された回動板材の他端側の回動辺が、回動支持部で回動することで第一蓋部から第二蓋部を引き離す。
【考案の効果】
【００４０】
本考案の蓋カバー、および廃棄物収納容器によれば、回動板材の一端側に利用者が把持して持ち上げるための把持部を備え、貫通孔が回動板材を嵌合し、回動板材が貫通孔に嵌合された状態で回動板材を回動可能に支持する回動支持部が連結し、連結体の近傍まで延設された回動板材の他端側の回動辺が、回動支持部で回動することで第一蓋部から第二蓋部を引き離すので、感染性廃棄物を収納された廃棄物収納容器を廃棄する際に、利用者が感染性廃棄物、又は感染性廃棄物が接触した可能性のあるものに触れることなく収納容器本体のみを廃棄できる。
【図面の簡単な説明】
【００４１】
【図１】本実施の形態に係る廃棄物収納容器が有する蓋カバー部を下方から見た状態を示す斜視図である。
【図２】本実施の形態に係る蓋カバーおよび容器本体が装着されるフレーム全体を示す斜視図である。
【図３】フレームに装着される容器本体全体を示す斜視図である。
【図４】フレームに容器本体および蓋カバーが装着された廃棄物収納容器全体を示す斜視図である。
【図５】回動板材が蓋カバーの下側に連結された容器本体が有する上蓋部を引き離す様子を示す断面図である。
【図６】本実施の形態の蓋カバーにおける回動板材の形状と、他の形状の回動板材の例を示す蓋カバーの底面図である。
【図７】特許文献１で開示された廃棄物収納容器がフレームに装着された状態を示す斜視図である。
【考案を実施するための形態】
【００４２】
以下、本考案の実施の形態を、図面を参照して詳細に説明する。
図１は、本実施の形態に係る廃棄物収納容器が有する蓋カバー部を下方から見た状態を示す斜視図である。
【００４３】
本実施の形態に係る蓋カバー１００は、ここでは図示しない廃棄物収納容器１０００の一部を構成するものであって、廃棄物収納容器１０００は、蓋カバー１００、フレーム２００、および容器本体３００で構成される。
【００４４】
蓋カバー１００は、後述するフレーム２００に装着されるものである。またフレーム２００は、容器本体３００を装着し、フレーム２００に装着された容器本体３００と蓋カバー１００とが連動して開閉することで、容器本体３００の内部に感染性廃棄物をすることができる。
【００４５】
図１に示すように蓋カバー１００は、たとえば耐薬性・耐水性・耐油性に優れたポリプロピレンなどの樹脂を中空多層構造体として形成された、いわゆるプラスチックダンボールである板材を主として加工したものである。
【００４６】
このため、蓋カバー１００は繰り返して利用することができ、後述するダンボールなどの紙材で形成され、感染性廃棄物が収納された容器本体３００のみを廃棄することができる。
【００４７】
蓋カバー１００は、カバー本体部１１０、アーム挿入部１２０、前方被覆部１３０、後方突出部１４０、連結摺動体１５０、および回動板材１６０を備えている。
カバー本体部１１０は、ここでは図示しないフレーム２００に装着された容器本体３００を上部から被覆するものであって、容器本体３００が有する上蓋の領域よりも大きく形成されたプラスチックダンボールからなる板材である。
【００４８】
カバー本体部１１０の左右両側は、下側に向かってコの字状又はロの字状に折り曲げられたアーム挿入部１２０が形成されている。本実施の形態では、ロの字状に折り曲げられたアーム挿入部１２０として以下を説明する。
【００４９】
アーム挿入部１２０は、後述するフレーム２００が有するアームを挿入するための隙間が形成されるものであって、外側側面部１２１、下側側面部１２２、内側側面部１２３、および糊代部１２４を備えている。
【００５０】
外側側面部１２１は、カバー本体部１１０の左右両側がカバー本体部１１０に対して下側に直角になるように折り曲げられる。また下側側面部１２２は、外側側面部１２１からカバー本体部１１０に対して水平になるように折り曲げられる。また、内側側面部１２３は、下側側面部１２２から下側側面部１２２に対して直角に折り曲げられる。
【００５１】
さらに、糊代部１２４は、内側側面部１２３とカバー本体部１１０の下側とが接する位置で、カバー本体部１１０の下側に沿ってカバー本体部１１０の内側に折り曲げられて、カバー本体部１１０の下側に接着される。
【００５２】
この外側側面部１２１、下側側面部１２２、内側側面部１２３、および糊代部１２４によって形成される隙間に、フレーム２００が有するアームが挿入される。隙間の大きさは、フレーム２００が有するアームの形状に合わせて任意に設定することができる。
カバー本体部１１０の前方側は、下側に向かってＬ字状に折り曲げられた前方被覆部１３０が形成されている。
【００５３】
前方被覆部１３０は、後述するフレーム２００に装着される容器本体３００が有する上蓋が回動することで開口する開口部が閉じられたときの隙間を覆うためのものであって、前壁部１３１、２つの側壁部１３２、および補強部１３３を備えている。
【００５４】
前壁部１３１は、カバー本体部１１０の前側がカバー本体部１１０に対して下側に直角になるように折り曲げられる。前壁部１３１の高さは、フレーム２００に装着される容器本体３００が有する上蓋が回動することで開口する開口部が閉じられたときの隙間を覆うことができる十分な高さで形成される。
【００５５】
具体的には、後述するように、フレーム２００に装着される容器本体３００が有する上蓋は、フレーム２００が有するアームに連動して開閉する。つまりアームが挿入されるアーム挿入部１２０よりも下側に延びていることが好ましい。
【００５６】
すなわち、前壁部１３１の高さは、外側側面部１２１の高さよりも高く形成されるものであって、前壁部１３１の下側は、下側側面部１２２よりも下側に伸びるように形成される。
【００５７】
また、側壁部１３２は、カバー本体部１１０の左右両側の前側が、カバー本体部１１０に対して下側に直角になるように折り曲げられたものであって、前壁部１３１の高さと等しくなるように形成されている。
【００５８】
特許文献１で開示されている従来の廃棄物収納容器では、図７に示すように、箱本体部１１Ａと第一蓋部１１Ｂとの間に生じる開口部の隙間が露出された状態である。このため、第一蓋部１１Ｂを回動させて箱本体部１１Ａが有する開口部を開閉する際に、第一蓋部１１Ｂの回動動作による衝撃によって、箱本体部１１Ａに収納された感染性廃棄物の病原体が外部に飛散するおそれがある。
【００５９】
そこで、この本実施の形態に係る蓋カバー１００は、前壁部１３１、２つの側壁部１３２によって構成される前方被覆部１３０を備えることで、フレーム２００に装着される容器本体３００が有する上蓋が回動することで開口する開口部が閉じられたときの隙間を覆うことができる。
【００６０】
すなわち、容器本体３００が有する上蓋の回動動作によって衝撃が生じても、容器本体３００が有する上蓋が回動することで開口する開口部が閉じられたときの隙間から、容器本体３００に収納された感染性廃棄物の病原体が外部に飛散することがない。
【００６１】
また、前壁部１３１と２つの側壁部１３２との接合部には、補強部１３３を設けることもできる。補強部１３３は、たとえば硬質かつ軽量なポリエチレンなどの樹脂で形成され、前壁部１３１と２つの側壁部１３２との接合部接着、又は留め具などによって固定されたＬ字状に直角に折り曲げ加工された板材である。
【００６２】
補強部１３３を前壁部１３１と２つの側壁部１３２との接合部に設けることで、中空多層構造体として形成される蓋カバー１００の隅部を補強することで、強度を向上させることができる。
【００６３】
また、蓋カバー１００の前方の隅部に補強部１３３を設けることで、蓋カバー１００の前方の荷重が大きくなる。これにより、蓋カバー１００は、補強部１３３の荷重により、閉じる方向に回動するので、蓋カバー１００の閉じる速さが向上する。また、容器本体３００が有する上蓋が回動することで開口する開口部が閉じられたときの隙間を確実に覆うことができる。
【００６４】
後方突出部１４０は、カバー本体部１１０の後側が、カバー本体部１１０に対して下側に直角になるように折り曲げられたものであって、蓋カバー１００の位置ズレを防止するためのものである。
【００６５】
蓋カバー１００は、フレーム２００に装着されて、フレーム２００が有するアームの回動動作に連動して回動する。この蓋カバー１００が回動動作を繰り返すことで、蓋カバー１００が前方に位置ズレしてしまうおそれがある。
【００６６】
そこで、フレーム２００が有するアームの基端部又は、アームとペダルとが連結される連結リンクの外側に後方突出部１４０を設けることで、蓋カバー１００が前方に位置ズレしようとするときに、後方突出部１４０がアームの基端部又は連結リンクにあたる。これにより、蓋カバー１００が前方に位置ズレしてしまうことを抑制することができる。
【００６７】
連結摺動体１５０は、カバー本体部１１０の下面前方の中央部付近に設けられ、フレーム２００に装着される容器本体３００が有する上蓋と蓋カバー１００とを連結して、連結された上蓋と蓋カバー１００とを前後に摺動させるようにしたものである。
【００６８】
連結摺動体１５０は、たとえば布、帯体、紐、折り曲げられたダンボールなどの紙体など、連結される容器本体３００が有する上蓋と蓋カバー１００とを前後に摺動可能に連結する柔軟性を備えた素材で形成される。ここでは、連結摺動体１５０を帯体として以下を説明する。
【００６９】
連結摺動体１５０は、連結摺動体１５０の中腹部１５１とカバー本体部１１０の下面との間に所定の空間をあけた状態で、連結摺動体１５０の両端部がカバー本体部１１０の下面に糊代部１５２を介して接着されている。なお糊代部１５２の一方は、前方被覆部１３０の一部に接着することもできる。
【００７０】
中腹部１５１の下側面には、たとえば面ファスナーの係合部である係合体１５３が貼り付けられており、容器本体３００が有する上蓋に設けられた図示しない被係合体と中腹部１５１に設けられた係合体１５３とが係合する。
【００７１】
容器本体３００が有する上蓋と蓋カバー１００とは、連結摺動体１５０を介して連結され、連結摺動体１５０が有する中腹部１５１とカバー本体部１１０の下面との間に所定の空間があけられているため、柔軟性を備えた連結摺動体１５０が、前後に摺動する。これにより、容器本体３００が有する上蓋と蓋カバー１００とを前後に摺動可能に連結することができる。
【００７２】
回動板材１６０は、連結摺動体１５０を介して連結された容器本体３００が有する上蓋と蓋カバー１００とを引き離すためのものである。
回動板材１６０は、たとえば硬質かつ軽量なポリエチレンなどの樹脂で形成された板材であって、前方被覆部１３０が有する前壁部１３１の中央部に開口された隙間１３４からカバー本体部１１０の下面に嵌め込まれている。
回動板材１６０の前側端部は前壁部１３１から突出するように設置されて、廃棄物収納容器１０００の利用者Ｕが掴むための把持部１６１が設けられている。
【００７３】
回動板材１６０と前壁部１３１とが交差する部分には、回動板材１６０を回動可能に支持する回動支持部１６２が設けられている。回動支持部は、たとえば、回動板材１６０と前壁部１３１とが交差する部分の一部に設けられた孔に、前壁部１３１に設けられた隙間１３４から突出する突起が差し込まれることで、回動板材１６０が回動支持部１６２によって回動可能に支持される。
【００７４】
なお、回動支持部１６２は、回動板材１６０の重心付近に設けることが好ましい。これにより、回動板材１６０を回動させないときに、回動板材１６０の前後のバランスがとれる重心で回動支持部１６２が回動板材１６０を支えるので、回動板材１６０が水平位置で固定される。
【００７５】
回動板材１６０の後側端部は、連結摺動体１５０が設けられる部分まで延設されており、連結摺動体１５０と回動板材１６０とが干渉する部分にＵ字状の切り欠き１６３が設けられている。これにより、回動板材１６０の後側端部に連結摺動体１５０の周囲を取り囲むように２つの回動辺１６４が形成される
【００７６】
回動板材１６０は、利用者Ｕが把持部１６１を掴んで、把持部１６１を上方に持ち上げることで、回動支持部１６２を介して回動辺１６４が下方に回動する。回動辺１６４が下方に回動することで、蓋カバー１００の下側に連結された容器本体３００が有する上蓋を引き離す。
【００７７】
これにより、連結摺動体１５０を介して連結されていた容器本体３００が有する上蓋と蓋カバー１００とが解除されるので、利用者Ｕが感染性廃棄物、又は感染性廃棄物が接触した可能性のある容器本体３００が有する上蓋に触れることなく容器本体３００のみを廃棄できる。
【００７８】
図２は、本実施の形態に係る蓋カバーおよび容器本体が装着されるフレーム全体を示す斜視図である。
フレーム２００は、感染性廃棄物が収納される容器本体３００が収納設置でき、蓋カバー１００に挿入されて固定される、後述するペダルに連動して回動するアームを備えていればよく、ここで説明する形状に限るものではない。
【００７９】
フレーム２００は、容器本体３００が上部に設置される台座部２１０、台座部２１０の上部に設置された容器本体３００を取り囲むようにして設けられて容器本体３００を支持する支柱部２２０、支柱部２２０の上端部に設けられた連結リンク２３０を介して回動可能に設けられる２本の平行なアーム部２４０、および連結リンク２３０に複数のロッド２５０を介して設けられるペダル２６０を備えている。
【００８０】
ペダル２６０が一端に連結される水平ロッド２５１は、台座部２１０の一部に回動可能に固定されており、ペダル２６０を下方向に利用者Ｕが踏むことによって、水平ロッド２５１の他端に連結された垂直ロッド２５２が上方向に移動する。
この垂直ロッド２５２が上方向に移動することで、連結リンク２３０を介して連結されたアーム部２４０の先端側が上方に回動する。
【００８１】
図３は、フレームに装着される容器本体全体を示す斜視図である。
図３に示すように、容器本体３００は、たとえば板紙を中空多層構造体として形成された、いわゆるダンボールである板材を主として箱状に加工したものである。
【００８２】
容器本体３００は、上部が開口された開口部を有する直方体状の箱本体部３１０と、箱本体部３１０が有する開口部を塞ぐように形成された長方形状の上蓋部３２０とを備えている。
【００８３】
箱本体部３１０はフレーム２００が有する台座部２１０および支柱部２２０によって形成される空間に収納可能な形状で形成されている。箱本体部３１０が有する開口部の後側縁部と上蓋部３２０の後側縁部とは、回転可能に連結固定されている。このため、箱本体部３１０は前方から上蓋部３２０を回動させて、箱本体部３１０が有する開口部を開口させることができる。
【００８４】
また、上蓋部３２０の上面側前方中央付近には、たとえば面ファスナーの被係合部である被係合体３２１が設けられている。被係合体３２１は、容器本体３００および蓋カバー１００がフレーム２００に装着された状態で、蓋カバー１００が有する係合体１５３と係合するためのものである。
【００８５】
また上蓋部３２０の下面側後方には、上蓋部３２０の幅方向に渡って粘着テープ３２２が設けられている。粘着テープ３２２は、箱本体部３１０の内側に設置されるビニール袋３３０の一端側を固定するためのものである。ビニール袋３３０の他端側は、箱本体部３１０が有する開口部の縁部にかけられて固定される。
【００８６】
図４は、フレームに容器本体および蓋カバーが装着された廃棄物収納容器全体を示す斜視図である。
図４に示すように、フレーム２００が有する台座部２１０および支柱部２２０によって形成される空間に容器本体３００が有する箱本体部３１０が収納されている。また蓋カバー１００は、フレーム２００に装着された容器本体３００を上部から被覆している。
【００８７】
蓋カバー１００が有するアーム挿入部１２０の隙間には、フレーム２００が有するアーム部２４０が挿入される。
【００８８】
蓋カバー１００の前方側に設けられた前方被覆部１３０は、フレーム２００に装着された容器本体３００が有する上蓋部３２０が回動することで開口する開口部が閉じられたときの隙間を覆うように設けられている。
【００８９】
これにより、容器本体３００が有する上蓋部３２０が回動動作によって衝撃が生じても、容器本体３００が有する上蓋部３２０が回動することで開口する開口部が閉じられたときの隙間から、容器本体３００に収納された感染性廃棄物の病原体が外部に飛散することがない。
【００９０】
また、蓋カバー１００の後ろ側に設けられた後方突出部１４０は、フレーム２００が有するアーム部２４０の基端部又は、アーム部２４０とペダル２６０とがロッド２５０を介して連結される連結リンク２３０の外側に設けている。
【００９１】
これにより、蓋カバー１００が前方に位置ズレしようとするときに、後方突出部１４０がアームの基端部又は連結リンクにあたるので、蓋カバー１００が前方に位置ズレしてしまい、蓋カバー１００および上蓋部３２０の開閉動作に支障が生じることを抑制することができる。
【００９２】
連結摺動体１５０は、カバー本体部１１０の下面前方の中央部付近に設けられ、フレーム２００に装着される容器本体３００が有する上蓋と蓋カバー１００とを摺動可能に連結している。
【００９３】
連結摺動体１５０が有する中腹部１５１の下面に設けられた図示しない係合体１５３と、上蓋部３２０の上面に設けられた図示しない被係合体３２１とが係合され、蓋カバー１００と上蓋部３２０とを摺動可能かつ着脱可能に連結している。
【００９４】
連結摺動体１５０を介して連結された容器本体３００が有する上蓋部３２０と蓋カバー１００とを引き離すための回動板材１６０が、図示しない回動支持部１６２によって回動可能に支持されて、蓋カバー１００に設けられている。
【００９５】
回動板材１６０は、利用者Ｕが把持部１６１を掴んで、把持部１６１を上方に持ち上げることで、回動支持部１６２を支点に回動辺１６４が下方に回動する。回動辺１６４が下方に回動することで、蓋カバー１００の下側に連結された容器本体３００が有する上蓋部３２０を引き離す。
【００９６】
これにより、連結摺動体１５０を介して連結されていた容器本体３００が有する上蓋部３２０と蓋カバー１００とが解除されるので、利用者Ｕが感染性廃棄物、又は感染性廃棄物が接触した可能性のある容器本体３００が有する上蓋部３２０に触れることなく容器本体３００のみを廃棄できる。
【００９７】
図５は、回動板材が蓋カバーの下側に連結された容器本体が有する上蓋部を引き離す様子を示す断面図である。
図５に示すように、回動板材１６０は、利用者Ｕが把持部１６１を掴んで、把持部１６１を上方に持ち上げることで、回動支持部１６２を支点に回動辺１６４が下方に回動する。回動辺１６４が下方に回動することで、蓋カバー１００の下側に連結された容器本体３００が有する上蓋部３２０を引き離すことができる。
【００９８】
図５（Ａ）は、利用者Ｕが把持部１６１を掴んでいない状態を示す断面図である。
図５（Ａ）に示すように、利用者Ｕが把持部１６１を掴んでいない場合、回動板材１６０は回動支持部１６２によって支持され、水平状態が保たれている。
【００９９】
図５（Ｂ）は、利用者Ｕが把持部１６１を掴んで持ち上げた状態を示す断面図である。
図５（Ｂ）に示すように、利用者Ｕが把持部１６１を掴んで持ち上げると、回動支持部１６２を支点に回動辺１６４が下方に回動し、回動辺１６４の先端が上蓋部３２０の上面にあたる。
【０１００】
図５（Ｃ）は、利用者Ｕが把持部１６１を掴んで、図５（Ｂ）の状態から、さらに持ち上げた状態を示す断面図である。
図５（Ｃ）に示すように、利用者Ｕが把持部１６１を掴んで、図５（Ｂ）の状態から、さらに持ち上げると、回動板材１６０が連結された蓋カバー１００の前方側が上方に回動する。これに伴って、蓋カバー１００に連結摺動体１５０を介して連結された上蓋部３２０の前方側が上方に回動する。
【０１０１】
図５（Ｄ）は、利用者Ｕが把持部１６１を掴んで、図５（Ｃ）の状態から、さらに持ち上げた状態を示す断面図である。
図５（Ｄ）に示すように、利用者Ｕが把持部１６１を掴んで、図５（Ｃ）の状態から、さらに持ち上げると、回動支持部１６２を支点に回動辺１６４が下方に回動し、回動辺１６４の先端が上蓋部３２０の下方に押し下げる。
【０１０２】
このとき、利用者Ｕは、たとえば蓋カバー１００の上面を押さえながら、回動支持部１６２を支点に把持部１６１を持ち上げることで、より強い力で回動辺１６４の先端を上蓋部３２０に押し当てることができる。
【０１０３】
これにより、連結摺動体１５０が有する係合体１５３と、上蓋部３２０の上面に設けられた被係合体３２１とが係合された状態を解除することができ、蓋カバー１００と上蓋部３２０と引き離すことができる。
【０１０４】
このため、連結摺動体１５０を介して連結されていた容器本体３００が有する上蓋部３２０と蓋カバー１００とが解除されるので、利用者Ｕが感染性廃棄物、又は感染性廃棄物が接触した可能性のある容器本体３００が有する上蓋部３２０に触れることなく容器本体３００のみを廃棄できる。
【０１０５】
図６は、本実施の形態の蓋カバーにおける回動板材の形状と、他の形状の回動板材の例を示す蓋カバーの底面図である。
図６（Ａ）は、本実施の形態に係る蓋カバー１００の回動板材の形状を示す底面図である。
【０１０６】
図６（Ａ）に示すように、回動板材１６０の前側端部は前壁部１３１から突出するように設置されて、廃棄物収納容器１０００の利用者Ｕが掴むための把持部１６１が設けられている。また、回動板材１６０と前壁部１３１とが交差する部分には、回動板材１６０を回動可能に支持する回動支持部１６２が設けられている。
【０１０７】
回動板材１６０の後側端部は、連結摺動体１５０が設けられる部分まで延設されており、連結摺動体１５０と回動板材１６０とが干渉する部分にＵ字状の切り欠き１６３が設けられている。これにより、回動板材１６０の後側端部に連結摺動体１５０の周囲を取り囲むように２つの回動辺１６４が形成される。
【０１０８】
回動板材１６０は、利用者Ｕが把持部１６１を掴んで、把持部１６１を上方に持ち上げることで、回動支持部１６２を介して回動辺１６４が下方に回動する。回動辺１６４が下方に回動することで、蓋カバー１００の下側に連結された容器本体３００が有する上蓋を引き離す。
【０１０９】
図６（Ｂ）は、蓋カバー１００に連結された回動板材の他の形状を示す底面図である。
図６（Ｂ）に示すように、回動板材１６０の長手方向の端部は側壁部１３２から突出するように設置されて、廃棄物収納容器１０００の利用者Ｕが掴むための把持部１６１が設けられている。また、回動板材１６０と側壁部１３２とが交差する部分には、回動板材１６０を回動可能に支持する回動支持部１６２が設けられている。
【０１１０】
回動板材１６０の後側端部は、連結摺動体１５０が設けられる部分まで延設されている。これにより、回動板材１６０の後側端部に連結摺動体１５０を挟んだ両側に回動辺１６４が形成される。
【０１１１】
回動板材１６０は、利用者Ｕがそれぞれの把持部１６１を手で掴んで、把持部１６１を上方に持ち上げることで、回動支持部１６２を介して回動辺１６４が下方に回動する。回動辺１６４が下方に回動することで、蓋カバー１００の下側に連結された容器本体３００が有する上蓋を引き離す。
【０１１２】
図６（Ｃ）は、蓋カバー１００に連結された回動板材の他の形状を示す底面図である。
図６（Ｃ）に示すように、回動板材１６０の長手方向の端部は側壁部１３２から突出するように設置されて、廃棄物収納容器１０００の利用者Ｕが掴むための把持部１６１が設けられている。また、回動板材１６０と側壁部１３２とが交差する部分には、回動板材１６０を回動可能に支持する回動支持部１６２が設けられている。
【０１１３】
回動板材１６０の後側端部は、連結摺動体１５０が設けられる部分まで延設されており、さらに連結摺動体１５０の長手方向に沿ってＬ字状に屈曲して延設されている。これにより、回動板材１６０の後側端部に連結摺動体１５０を挟んだ両側に、連結摺動体１５０の長手方向に沿った回動辺１６４が形成される。
【０１１４】
回動板材１６０は、利用者Ｕがそれぞれの把持部１６１を手で掴んで、把持部１６１を上方に持ち上げることで、回動支持部１６２を介して回動辺１６４が下方に回動する。回動辺１６４が下方に回動することで、蓋カバー１００の下側に連結された容器本体３００が有する上蓋を引き離す。
【０１１５】
なお、図６では、回動板材１６０が前壁部１３１又は側壁部１３２から突出するように設置される例で示したが、カバー本体部１１０から上方に突出するように設置し、回動支持部１６２をカバー本体部１１０に設けてもよい。
【０１１６】
また、回動板材１６０は板状部材を加工したものだけでなく、複数の板状部材をリンク上に連結することもできる。また把持部１６１と回動辺１６４とをロッドで連結して回動辺１６４を回動することもできる。
【０１１７】
また、上記の実施の形態に関し、さらに以下の付記を開示する。
（付記１）
感染性廃棄物を収納する収納容器を内側に設置するフレームの上部に設けられるアーム部が、回動動作によって開閉する廃棄物収納容器における前記アーム部に取り付けられ、前記収納容器の蓋部の上面に設けられた連結体を介して着脱可能に天井面の下面が連結される蓋カバーにおいて、
利用者が把持して持ち上げるための把持部を一端側に有する回動板材と、
前記回動板材を嵌合するための貫通孔と、
前記回動板材が前記貫通孔に嵌合された状態で連結されて、前記回動板材を回動可能に支持する回動支持部と、
前記連結体の近傍まで延設された前記回動板材の他端側が、前記回動支持部で回動することで前記蓋部を引き離して前記連結体の連結を解除する回動辺と、
を備えることを特徴とする蓋カバー。
（付記２）
前記貫通孔は、
前記天井面の前側から垂下する前壁面に設けられること、
を特徴とする付記１記載の蓋カバー。
（付記３）
前記天井面の前側から垂下する前壁面が、
前記蓋部が閉じられたときに形成される前記収納容器と前記蓋部との間に形成される隙間を覆う高さで形成されること、
を特徴とする付記１記載の蓋カバー。
（付記４）
前記天井面の左右両側から垂下し、前記前壁面と同じ高さで形成される側壁面、
を備えることを特徴とする付記３記載の蓋カバー。
（付記５）
前記天井面の後側から垂下する後壁面が、
回動リンクよりも後方に接するように設けられること、
を特徴とする付記１記載の蓋カバー。
（付記６）
前記回動支持部は、
前記回動板材の重心位置に設けられること、
を特徴とする付記１記載の蓋カバー。
（付記７）
感染性廃棄物を収納する廃棄物収納容器において、
前記感染性廃棄物が収納される収納容器本体と、
前記収納容器本体を内側に設置するフレームの上部に設けられ、回動動作によって前記収納容器本体の蓋部を開閉するアーム部と、
前記アーム部に取り付けられ、前記収納容器本体の前記蓋部の上面に設けられた連結体を介して着脱可能に天井面の下面が連結され、利用者が把持して持ち上げるための把持部を一端側に有する回動板材と、前記回動板材を嵌合するための貫通孔と、前記回動板材が前記貫通孔に嵌合された状態で連結されて、前記回動板材を回動可能に支持する回動支持部と、前記連結体の近傍まで延設された前記回動板材の他端側が、前記回動支持部で回動することで前記蓋部を引き離して前記連結体の連結を解除する回動辺とを有する蓋カバーと、
を備えることを特徴とする廃棄物収納容器。
（付記８）
感染性廃棄物を収納する収納容器を内側に設置するフレームの上部に設けられるアーム部が、回動動作によって開閉する廃棄物収納容器における前記アーム部に取り付けられ、前記収納容器の蓋部の上面に設けられた連結体を介して着脱可能に天井面の下面が連結される蓋カバーによる前記蓋部の取り外し方法において、
貫通孔に嵌合された回動板材の一端側に設けられた把持部を利用者が把持して持ち上げる工程と、
前記回動板材が前記貫通孔に嵌合された状態で連結されて、前記回動板材を回動可能に回動支持部が支持する工程と、
前記連結
体の近傍まで延設された前記回動板材の他端側に設けられた回動辺が、前記回動支持部で回動することで前記蓋部を引き離して前記連結体の連結を解除する工程と、
を備えることを特徴とする蓋カバーによる前記蓋部の取り外し方法。
【符号の説明】
【０１１８】
１００  蓋カバー
１１０  カバー本体部
１２０  アーム挿入部
１２１  外側側面部
１２２  下側側面部
１２３  内側側面部
１２４  糊代部
１３０  前方被覆部
１３１  前壁部
１３２  側壁部
１３３  補強部
１３４  隙間
１４０  後方突出部
１５０  連結摺動体
１５１  中腹部
１５２  糊代部
１５３  係合体
１６０  回動板材
１６１  把持部
１６２  回動支持部
１６３  切り欠き
１６４  回動辺
【図１】
0003231054.tif 000003
【図２】
0003231054.tif 000004
【図３】
0003231054.tif 000005
【図４】
0003231054.tif 000006
【図５】
0003231054.tif 000007
【図６】
0003231054.tif 000008
【図７】
0003231054.tif 000009